(57)【要約】【課題】設置面からの張り出しを小さくできる照明装置を提供する。【解決手段】照明装置は、設置面に取付けられたダクトレールに対して着脱可能であり、発光素子を複数個備える照明部と、ダクトレールから受電して照明部に点灯電力を供給するための電源回路３１を有する電源部３０とを備え、電源回路３１を構成する電子部品３１２の少なくとも一部が、ダクトレールに装着した際にダクトレール内に進入するように、配されている。【選択図】図１０
2019102199.tif 000002
【特許請求の範囲】
【請求項１】
設置面に取付けられたダクトレールに対して着脱可能な照明装置において、
発光素子を複数個備える照明部と、
前記ダクトレールから受電して前記照明部に点灯電力を供給するための電源回路を有する電源部と
を備え、
前記電源回路を構成する電子部品の少なくとも一部が、前記ダクトレールに装着した際に当該ダクトレール内に進入するように、配されている
照明装置。
【請求項２】
前記電子部品の少なくとも一部は、前記複数個の発光素子が搭載されているベースの前記ダクトレール側に配されている
請求項１に記載の照明装置。
【請求項３】
前記電子部品の少なくとも一部は、前記ベースにおける前記ダクトレール側に設けられた電源ケースに取り付けられた回路基板に実装されている
請求項２に記載の照明装置。
【請求項４】
前記電子部品の少なくとも一部は、前記ダクトレールに沿って列状に前記回路基板に実装されている
請求項３に記載の照明装置。
【請求項５】
前記電源ケースは、前記ダクトレールが延伸する方向と直交する断面において、前記ダクトレール内に進入する凸部を有し、当該凸部内に前記電子部品の少なくとも一部が配されている
請求項４に記載の照明装置。
【発明の詳細な説明】
【技術分野】
【０００１】
本発明は、ガイドレールに着脱可能な照明装置に関する。
【背景技術】
【０００２】
照明装置として、設置面に取付けられたガイドレースに着脱可能な装置が提案されている（例えば、特許文献１）。
特許文献１の照明装置は、長枠と透光パネルとを有し、長枠の下面に光源が配され、長枠の上面に点灯回路が配されている。
【先行技術文献】
【特許文献】
【０００３】
【特許文献１】特許第５５０６７１８号公報
【発明の概要】
【発明が解決しようとする課題】
【０００４】
上記照明装置は、設置面から透光パネルの下端までの距離が大きく、設置面からの張り出しが大きい。
本発明は、このような事情に鑑みてなされたものであって、設置面からの張り出しを小さくできる照明装置を提供することを目的とする。
【課題を解決するための手段】
【０００５】
上記課題を解決するために、本発明の一態様に係る照明装置は、設置面に取付けられたダクトレールに対して着脱可能な照明装置において、発光素子を複数個備える照明部と、前記ダクトレールから受電して前記照明部に点灯電力を供給するための電源回路を有する電源部とを備え、前記電源回路を構成する電子部品の少なくとも一部が、前記ダクトレールに装着した際に当該ダクトレール内に進入するように、配されている。
【発明の効果】
【０００６】
本発明によれば、ダクトレールに装着した際に、電源回路を構成する電子部品の少なくとも一部がダクトレール内に入り込むため、設置面からの張り出しを小さくできる。
【図面の簡単な説明】
【０００７】
【図１】本実施形態に係る照明装置がダクトレールに取り付けられた状態の図であり、（ａ）は裏側から見た斜視図であり、（ｂ）は表側から見た斜視図である。
【図２】（ａ）は照明装置を電源プラグ側から見た側面図であり、（ｂ）は照明装置をプラグ側から見た側面図である。
【図３】照明装置を裏側から見た斜視図である。
【図４】照明装置の縦断面図であり、（ａ）は電源プラグ側の拡大図であり、（ｂ）はプラグ側の拡大図である。
【図５】（ａ）は照明部の横断面を表側から見た斜視図であり、（ｂ）は裏側から見た斜視図である。
【図６】（ａ）は照明部の一端部の横断面を裏側から見た斜視図であり、（ｂ）は表側から見た斜視図である。
【図７】電源部の横断面図であり、（ａ）は他端側から見た図であり、（ｂ）は一端側から見た図である。
【図８】他端部側の分解状態を裏側から見た斜視図である。
【図９】他端部側の分解状態を表側から見た斜視図である。
【図１０】電源部の分解状態を裏側から見た斜視図である。
【図１１】電源部の分解状態を表側から見た斜視図である。
【図１２】接続ユニットを説明する斜視図である。
【図１３】他端部の縦断面の拡大図であり、（ａ）は裏側から見た図であり、（ｂ）は表側から見た図である。
【図１４】第１配線体及び第２配線体の図であり、（ａ）は裏側から見た図であり、（ｂ）は表側から見た図である。
【図１５】センサ部の分解状態を裏側から見た斜視図である。
【図１６】センサ部の分解状態を表側から見た斜視図である。
【図１７】人感センサユニットの分解状態を示す図であり、（ａ）は裏側から見た斜視図であり、（ｂ）は表側から見た斜視図である。
【図１８】人感センサユニットがエンドケースに取り付けられた状態の断面図である。
【発明を実施するための形態】
【０００８】
＜概要＞
一態様に係る照明装置は、設置面に取付けられたダクトレールに対して着脱可能な照明装置において、発光素子を複数個備える照明部と、前記ダクトレールから受電して前記照明部に点灯電力を供給するための電源回路を有する電源部とを備え、前記電源回路を構成する電子部品の少なくとも一部が、前記ダクトレールに装着した際に当該ダクトレール内に進入するように、配されている。
別態様に係る照明装置において、前記電子部品の少なくとも一部は、前記複数個の発光素子が搭載されているベースの前記ダクトレール側に配されている。これにより、設置面とベースとの間隔を小さくできる。
【０００９】
別態様に係る照明装置において、前記電子部品の少なくとも一部は、前記ベースにおける前記ダクトレール側に設けられた電源ケースに取り付けられた回路基板に実装されている。これにより、電源ケースと電子部品の少なくとも一部との位置合わせが容易となる。
別態様に係る照明装置において、前記電子部品の少なくとも一部は、前記ダクトレールに沿って列状に前記回路基板に実装されている。これにより、電子部品数が多い場合でも対応できる。
別態様に係る照明装置において、前記電源ケースは、前記ダクトレールが延伸する方向と直交する断面において、前記ダクトレール内に進入する凸部を有し、当該凸部内に前記電子部品の少なくとも一部が配されている。これにより、電子部品とダクトレールとが直接接触するようなことをなくすることができる。
【００１０】
＜実施形態＞
１．概略
図１及び図２を用いて説明する。
照明装置Ａは、設置面に取り付けられたダクトレールＢに着脱可能に装着される。照明装置ＡはダクトレールＢに対して複数個のプラグを利用して装着される。ここでは２個のプラグ５０，６０を利用している。一方のプラグ５０はダクトレールＢから受電する機能を有する電源プラグ５０である。
ここで、照明装置ＡはダクトレールＢが延伸する方向に長く、この方向を長さ方向といい、照明装置Ａを設置面に装着した際に、設置面と平行であって長さ方向と直交する方向を幅方向とし、長さ方向と幅方向とに直交する方向、つまり、設置面に直交する方向を厚さ方向や表裏方向とする。
なお、ダクトレールＢに対しても、長さ方向、幅方向及び厚み方向（表裏方向）の３つの方向を用いて説明する。
【００１１】
２．ダクトレール
ダクトレールＢは、図２に示すように、矩形筒状の表壁に長さ方向に延伸するレール溝１ａを有するダクト本体１と、ダクト本体１内に配された一対の導電レール３と、ダクト本体１内に挿入され且つ各導電レール３を保持するレール保持体５とを備える。なお、レール保持体５は、幅方向と直交する側壁に設けられ、導電レール３を表壁から間隔を置いて保持する。レール保持体５と表壁との間にプラグ５０，６０の係合片５１２ａ，６１が回転操作により係合する。
【００１２】
３．照明装置
図３及び図４を用いて説明する。
照明装置Ａは、照明部１０と電源部３０と電源プラグ５０とプラグ６０とを備える。ここでの照明装置Ａは上記構成以外に例えばセンサ部４０を備える。
照明部１０は、図４に示すように、長さ方向に沿って配された複数個のＬＥＤ素子１１３と、複数個のＬＥＤ素子１１３を収容する照明ケース１９とを少なくとも備える。ここでは、ＬＥＤ素子１１３が発光素子の一例に相当し、複数個のＬＥＤ素子１１３は長さ方向に長い長尺状の１枚又は複数枚のＬＥＤ基板１１１に実装されてなるモジュールタイプで収容される。なお、ＬＥＤ基板１１１にＬＥＤ素子１１３が実装されたものをＬＥＤモジュール１１とする。
【００１３】
照明部１０は、ＬＥＤモジュール１１を搭載するためのベース１２と、ＬＥＤモジュール１１をベース１２に固定するため基板固定具１３とを備える。照明部１０はＬＥＤモジュール１１を表側から覆う照明カバー１４を備える。照明カバー１４はベース１２に取り付けられる。照明カバー１４がベース１２に取り付けられた状態は筒状をしている。このため、照明部１０は、照明カバー１４とベース１２の長さ方向の一端側を塞ぐエンドカバー１５と長さ方向の他端側を塞ぐエンドケース１６を備える。なお、ここでの照明ケース１９はベース１２と照明カバー１４とエンドカバー１５とエンドケース１６の側壁１６３（図９参照）とから構成されている。
つまり、ここでの照明部１０は、ＬＥＤモジュール１１と、ベース１２と、基板固定具１３と、照明カバー１４と、エンドカバー１５とエンドケース１６とを備える。なお、これら以外のものを備えてもよい。
【００１４】
電源部３０は、図４に示すように、ＬＥＤ素子１１３を点灯させるための電源回路３１と、電源回路３１を収容する電源ケース３２と備える。ここでの電源部３０は、電源回路３１と電源プラグ５０とを電気的に接続するための接続ユニット３４を電源ケース３２内に備える。
ここでの電源ケース３２は、図３に示すように、ダクトレールＢ内に進入する凸部分（３２２）を有している。図４に示すように、電源回路３１の一部が電源ケース３２の凸部（３２２）に配されている。
このため、電源回路３１を構成する電子部品の少なくとも一部がダクトレール内に入り込み、設置面からの張り出しを小さくできる。
センサ部４０は、図４に示すように、エンドケース１６に設けられている。
電源プラグ５０は電源部３０の電源ケース３２に、プラグ６０はベース１２にそれぞれ設けられている。なお、電源プラグ５０及びプラグ６０は長さ方向に間隔を置いて配されている。
【００１５】
４．照明部
照明部１０は、上記の通り、ＬＥＤモジュール１１、ベース１２、基板固定具１３、照明カバー１４、エンドカバー１５とエンドケース１６とを備え、以下、各部について説明する。なお、エンドケース１６は、内部に人感センサユニット４１と照度センサユニット４２とを収容するため、後述の「７．センサ部」の欄で説明する。
【００１６】
（１）ＬＥＤモジュール
主に図４及び図５を用いて説明する。
ＬＥＤモジュール１１は、２枚のＬＥＤ基板１１１と、複数個のＬＥＤ素子１１３とを備える。２枚のＬＥＤ基板１１１は、接続ケーブル１１６を介して接続され、ＬＥＤ基板１１１は接続用のコネクタを備える。なお、図５の（ａ）に現れているコネクタ１１７は接続ケーブル１１６側のコネクタである。また、ＬＥＤ基板１１１は電源回路３１との接続用のコネクタ（図示省略）を備える。
【００１７】
（２）ベース
主に図５を用いて説明する。
ベース１２は例えば金属板を湾曲・湾曲させてなる。長尺状のベース１２の横断面は一定である。ベース１２は、横断面において、表側が開放するコ字状部１２１と、コ字状部１２１の開放側端から傾斜状に延伸する傾斜部１２３と、傾斜部１２３におけるコ字状部１２１と反対側端から設置面側に延伸した後に折り返される折返部１２５とを有する。
コ字状部１２１における設置面と略平行な平坦部分１２１ａには反射シート１７を介してＬＥＤモジュール１１が搭載される。折返部１２５は照明カバー１４に取り付けられる。
【００１８】
（３）基板固定具
図５を用いて説明する。
基板固定具１３は、ベース１２の裏面に配される平板部１３１（図５の（ｂ）参照）と、平板部１３１における幅方向の両側から表側に「Ｌ」字状に延伸する係止部１３３，１３５（図５の（ａ）参照）とを有する。図６に示すように、係止部１３３，１３５がベース１２の貫通溝１２１ｈ及び反射シート１７の孔１７ａを挿通して、ＬＥＤ基板１１１の短手方向の端部を支持する。
【００１９】
（４）照明カバー
図５を用いて説明する。
照明カバー１４は、例えば透光性樹脂製であり、横断面において、裏側拡がりに裏側が開放するコ字状部１４１と、コ字状部１４１の裏側端から裏側に延伸する側板部１４３と、ベース１２の傾斜部１２３の表面に沿って延伸する表側延伸部１４５と、ベース１２の折返部１２５に沿って延伸する裏側延伸部１４７とを有する。側板部１４３と表側延伸部１４５と裏側延伸部１４７とで囲まれた溝部分にベース１２の折返部１２５が挿入・支持される。なお、照明カバー１４は長さ方向に間隔をおいて固定具、例えばリベット１４９でベース１２に固定されている。
【００２０】
（５）エンドカバー
エンドカバー１５は、図３に示すように、ベース１２と照明カバー１４との長さ方向の一端開口を塞ぐ。なお、長さ方向の他端開口は、センサ部４０が設けられるエンドケース１６により塞がれている。
エンドカバー１５は、図６に示すように、ベース１２と照明カバー１４とからなる筒状体の開口を塞ぐ蓋部１５１と、蓋部１５１から照明カバー１４の内面に沿って延伸するカバー嵌合部１５３と、蓋部１５１から裏側に板状に張り出す板状部１５５と、板状部１５５から長さ方向の他端側に向かって凸字状に延伸する凸字状部１５７と、板状部１５５から長さ方向の他端側に向かって逆Ｌ字状に延伸する逆Ｌ字状部１５８と、カバー嵌合部１５３の裏側端から裏側に延伸するボス部１５９とを備える。
【００２１】
カバー嵌合部１５３、凸字状部１５７の表端部分１５７ａ、逆Ｌ字状部１５８の表端部分１５８ａは、ベース１２及び照明カバー１４に当接して位置決め機能を有する。
凸字状部１５７の突出部分１５７ｂは、照明装置ＡをダクトレールＢに取り付けた際に、ダクトレールＢのレール溝１ａに嵌り、位置決め機能を有する。凸字状部１５７の段差部分１５７ｃはダクトレールＢの表面と当接又は近接し、ガタツキ防止機能を有する。ボス部１５９は裏側端から表側に延伸するねじ穴を有し、ベース１２のコ字状部１２１の貫通孔を裏側から挿通するねじ１２９が螺合する。これにより、エンドカバー１５がベース１２に固定される。
【００２２】
５．電源部
電源部３０は、図３及び図４に示すように、長さ方向の他端部側に設けられている。電源部３０はベース１２の裏面側に配される。
電源部３０は、図１０に示すように、電源回路３１と電源ケース３２と備える。ここでは、ベース１２に金属板を利用しているため、電源部３０はベース１２との絶縁性を確保するための絶縁ケース３３を備える。
【００２３】
（１）電源回路
電源回路３１は、図１０及び図１１に示すように、長さ方向に長い矩形状の回路基板３１１と、回路基板３１１のダクトレールＢ側の面に実装されて回路構成する複数個の電子部品３１２とを備える。電源回路３１は、電源プラグ５０と、センサ部４０と、照明部１０とに電気的に接続するための接続部(図示省略、例えばコネクタ）を回路基板３１１に備える。
複数個の電子部品３１２は、図１０に示すように、回路基板３１１の短手方向の略中央部を長さ方向に沿って実装されている。
【００２４】
（２）電源ケース
電源ケース３２は、図１０に示すように、電源回路３１を収容する回路収容部３２Ａと、電源プラグ５０を装着する電源プラグ装着部３２Ｂとを有している。電源ケース３２は、回路収容部３２Ａの他、図１１に示すように、接続ユニット３４を収容するユニット収容部３２Ｃを有している。電源ケース３２は、回路収容部３２Ａ以外に、エンドケース１６とで照明装置Ａの端部部分を構成する端部構成部３２Ｄを有する。なお、端部構成部３２Ｄは電源部３０と直接関係しないが、本項で説明する。
電源ケース３２は、図１０及び図１１に示すように、表側側が開放し且つ段付き蓋壁３２１ａを有する長尺上の箱状部３２１と、箱状部３２１の上段壁３２１ｂから裏側に中空状に突出する凸部３２２を有している。
前述のように電源ケース３２の凸部３２２は、ダクトレールＢに進入する。このため、ダクト本体１内に配された導電レール３と電子部品３１２とが電気的に絶縁されるよう電源ケース３２の凸部３２２は樹脂などの絶縁物で構成される。
【００２５】
（２−１）回路収容部
図１１に示すように、箱状部３２１における上段壁３２１ｂに対応する部分は回路収容部３２Ａを構成する。箱状部３２１の長側壁３２１ｄ間の距離は回路基板３１１の短手方向の寸法より大きい。
凸部３２２は、長さ方向に長い矩形箱状をし、上段壁３２１ｂにおける短手方向の中央に設けられている。凸部３２２の短手方向の大きさは、電子部品３１２の挿入が許容され且つダクトレールＢのレール溝１ａに嵌る大きさである。上段壁３２１ｂは、ダクトレールＢに装着時にダクトレールＢの表壁に当接又は近接する。
図１１に示すように、上段壁３２１ｂは、表側に延伸するボス部３２１ｆと、ボス部３２１ｆに形成されたねじ穴３２１ｇとを有する。ねじ穴３２１ｇには回路基板３１１の貫通孔３１１ａを挿通するねじ３９１が螺合する。これにより、回路基板３１１が電源ケース３２に取り付けられる。
【００２６】
図１１に示すように、電源ケース３２は、箱状部３２１における長手方向の一端側の短側壁３２１ｅの表側端から長手方向の外方に延伸する短側壁横鍔部３２３を備える。短側壁横鍔部３２３はベース１２のコ字状部１２１（平坦部分１２１ａ）に当接する。短側壁横鍔部３２３はベース１２に固定する固定部を構成する。固定には、例えばねじが利用される。具体的には、短側壁横鍔部３２３は幅方向の両側に貫通孔３２３ａを有し、図８に示すねじ３９２が貫通孔３２３ａを挿通した後、ベース１２のねじ孔１２１ｂに螺合する。
【００２７】
図８及び図９に示すように、電源ケース３２は、箱状部３２１における各長側壁３２１ｄの表側端から表側に延伸する長側壁縦鍔部３２４を備える。長側壁縦鍔部３２４は、図７に示すように、ベース１２のコ字状部１２１の立設部分１２１ｃの外面に当接又は近接する。長側壁縦鍔部３２４はベース１２に対して幅方向に位置決めする位置決め部を構成する。なお、長側壁縦鍔部３２４は、図８及び図９に示すように、短側壁横鍔部３２３の両端（装置の短手方向）にも連続して設けられている。
【００２８】
（２−２）電源プラグ装着部及びユニット収容部
図８及び図１０に示すように、電源ケース３２の段付き蓋壁３２１ａの下段壁３２１ｃは電源プラグ装着部３２Ｂを構成する。
下段壁３２１ｃは、図１０に示すように、裏側に突出する有蓋筒状部３２１ｉと、有蓋筒状部３２１ｉの蓋部の貫通孔３２１ｊとを有する。電源プラグ５０は、有蓋筒状部３２１ｉの蓋部を表裏から挟むようにして装着される。下段壁３２１ｃは、上段壁３２１ｂと共に、電源プラグ５０の回転止めとして機能する凸部３２１ｋを有する。なお、電源プラグ５０の装着は、「６．電源プラグ」の欄で説明する。
【００２９】
図９に示すように、電源ケース３２の段付き蓋壁３２１ａの下段壁３２１ｃの表側空間は、接続ユニット３４を収容するユニット収容部３２Ｃを構成する。
下段壁３２１ｃは、接続ユニット３４と係合する係合部を有している。係合部は、表側に延伸し、接続ユニット３４のプレート３４１に表側から係合する係合片３２１ｍにより構成される。係合片３２１ｍは合計で３個あり、長さ方向の他端側に幅方向に間隔をおいて２個、下段壁３２１ｃと上段壁３２１ｂとの境界付近に１個ある。
【００３０】
下段壁３２１ｃは、収容状態の接続ユニット３４を固定するための固定部を有する。ここでの固定は、図１０及び図１１に示すように、固定具（ねじ）３４７を利用しており、固定部は固定具３４７が挿通する段付きの貫通孔３２１ｎを有している。貫通孔３２１ｎは、貫通孔３２１ｊに対して幅方向の両側に設けられている。
【００３１】
（２−３）端部構成部
図８及び図９に示すように、電源ケース３２の長手方向の他端部はエンドケース１６とで照明装置Ａの長さ方向の他端部を構成する。
照明カバー１４は、ベース１２の長さ方向の他端部が照明カバー１４の他端部から延出するように、ベース１２に取り付けられている。つまり、ベース１２の他端部は露出している。
電源ケース３２の長手方向の他端部はベース１２の他端部の裏面を覆い、エンドケース１６はベース１２の他端部の表側と端面とを覆う。
電源ケース３２は、箱状部３２１の他端部の表側端から長さ方向と幅方向とに亘って平板状に延伸する平板部３２５と、平板部３２５の幅方向の両端から幅拡がりの傾斜状に延伸する傾斜板部３２６とを有している。
平板部３２５及び傾斜板部３２６は、ベース１２の他端部であって照明カバー１４の存在しない領域に対応している。組み立て状態において、平板部３２５はベース１２のコ字状部１２１の平坦部分１２１ａと対向し、傾斜板部３２６はベース１２の折返部１２５と対向する。
【００３２】
平板部３２５は長さ方向の端縁に表側に折り返された折返部分３２５ａを幅方向に間隔をおいて複数個（例えば２個）有している。折返部分３２５ａは、ベース１２の端部の欠け部１２１ｆに嵌り、その折返し先端領域がベース１２に係合する。これにより、電源ケース３２をベース１２に取り付けることができる。
平板部３２５は、２個の折返部分３２５ａの間にねじ３８２用の貫通孔３２５ｂを有している。ねじ３９２は、平板部３２５の貫通孔３２５ｂ、ベース１２の貫通孔１２１ｇを挿通して、エンドケース１６のボス部１６１ｋのねじ穴１６１ｍ（図１５参照）に螺合する。これにより、電源ケース３２、ベース１２及びエンドケース１６が一体化される。
【００３３】
平板部３２５は、表側に凹入する凹部分３２５ｃを各折返部分３２５ａの幅方向の外側に有している。凹部分３２５ｃには、エンドケース１６の凸部分１６２ｂが嵌る。これによりエンドケース１６の電源ケース３２に対する幅方向の位置決めができる。なお、傾斜板部３２６の延伸先端部は段差部分となっており、エンドケース１６の側壁１６４，１６５の段差と重なる。
【００３４】
（３）絶縁ケース
絶縁ケース３３は、ベース１２と対向する矩形状の対向板３３１と、対向板３３１の短手方向の端縁から裏側に立設する一対の立設板３３２と、一対の立設板３３２の裏側端から対向する立設板３３２側に向かって延伸する一対の延伸板３３３とを有する。
対向板３３１と一対の延伸板３３３との間に、図７の（ａ）に示すように、回路基板３１１が配される。対向板３３１には、ねじ３９１用の孔３３１ａや欠け部３３１ｂが設けられている。
【００３５】
６．電源プラグ
電源プラグ５０は、図２に示すように、ダクトレールＢへの取付機能とダクトレールＢからの受電機能を有する。
電源プラグ５０は、電源ケース３２の下段壁３２１ｃにより構成される電源プラグ装着部３２Ｂに回転可能に装着されている。
図１０及び図１１に示すように、電源プラグ５０は、電源ケース３２の裏側に配される電源プラグ本体５１と、電源ケース３２の表側に配され電源プラグ本体５１を回転可能に支持する支持具５２と、電源プラグ本体５１と支持具５２とを電源ケース３２の下段壁３２１ｃを挟んで結合する結合具５３とを備える。なお、結合具５３としてねじが利用されている。
【００３６】
（１）電源プラグ本体
電源プラグ本体５１は、図１０及び図１１に示すように、電源プラグ５０の回転によりダクトレールＢのレール溝１ａに係合する係合片５１２ａを筒部５１２ｂに有する回転体５１２と、回転体５１２の筒部５１２ｂの内部に配され且つ電源プラグ５０の回転によりダクトレールＢの導電レール３（図２参照）と接触すると共に後述の接続ユニット３４の導電板３４３（図１０参照）に接触する一対の電極板５１３と、電極板５１３を筒部５１２ｂの内周面に押圧する押圧体５１４とを備える。
回転体５１２は電源プラグ５０を回転させるためのレバー５１２ｃを有する。図１１示すように、押圧体５１４は結合具５３であるねじが螺合するねじ部５１４ａを有している。電源プラグ本体５１１と支持具５２とを結合具５３で結合すると、押圧体５１４の裏側端の鍔部５１４ｂが回転体５１２を裏側から支持する。
【００３７】
（２）支持具
支持具５２は、図１０及び図１１に示すように、断面の外観形状が略正方形状の四角筒部５２１と、四角筒部５２１の対向する２辺の裏側端から外方に円弧状に張り出す一対の円弧部５２２とを有し、四角筒部５２１の中心軸に結合具５３用の貫通孔５２４を有している。
四角筒部５２１における円弧部５２２が存在していない２辺には凹入部５２３が存在し、当該凹入部５２３に電源プラグ本体５１の電極板５１３が配される。円弧部５２２は、下段壁３２１ｃから裏側に有蓋円筒状に延伸する有蓋筒状部３２１ｉの内側に回転可能に嵌合する。
【００３８】
（３）結合及び配置
電源プラグ本体５１と支持具５２との結合及び配置について図１０及び図１１を用いて説明する。
電源プラグ本体５１の筒部５１２ｂにおけるレバー５１２ｃの裏面から突出している円筒部分５１２ｄが、電源ケース３２の下段壁３２１ｃの円形状の貫通孔３２１ｊに嵌合すると共にレバー５１２ｃの裏面が貫通孔３２１ｊの周辺部（有蓋筒状部３２１ｉの蓋部分の裏面）に当接する。
支持具５２は、電源プラグ本体５１の一対の電極板５１３に凹入部５２３を位置合わせして、一対の円弧部５２２の裏面が電源ケース３２の有蓋筒状部３２１ｉの蓋部分の表面に当接させる。
上記の状態で、結合具５３であるねじを支持具５２の５２４を挿通させて、電源プラグ本体５１の押圧体５１４のねじ部５１４ａ（図１１参照）に螺合させる。
これにより、電源プラグ本体５１と支持具５２とが、電源ケース３２の下段壁３２１ｃを挟む状態で、結合される。
【００３９】
７．接続ユニット
接続ユニット３４は、電源回路３１からのケーブル３１４と電源プラグ５０の電極板５１３とを電気接続する機能を有する。
接続ユニット３４は、図１２に示すように、絶縁性のプレート３４１と、電源プラグ５０側と電気的に接続する一対の導電板３４３と、ケーブル３１４を導電板３４３と接触状態でプレート３４１に固定するための固定具３４５とを備える。なお、照明装置Ａは、図９に示すように、接続ユニット３４とベース１２との間に絶縁シート３８を備える。
【００４０】
（１）プレート
プレート３４１は幅方向の中央を通り長さ方向に延伸する仮想線に対して線対称となるような形状をしている。プレート３４１は、矩形状に似た形状の平板部３４１ａと、平板部３４１ａに設けられ且つ導電板３４３の立設部３４３ｂの両面に沿って突出する複数の突出部３４１ｂと、平板部３４１ａの表裏に設けられた複数個（２個）のねじ孔３４１ｃ付きのボス３４１ｄと、中央部分の開口３４１ｅと、固定具３４５用のねじ孔３４１ｆと、平板部３４１ａの長さ方向の両端近傍に形成された複数個の厚肉部３４１ｇと、厚肉部３４１ｇの表側に形成された欠け部３４１ｈと、平板部３４１ａの表面であって開口３４１ｅの周辺から円筒状に張り出す円筒部３４１ｉ（図１１参照）とを有している。
【００４１】
（２）導電板
一対の導電板３４３は、プレート３４１の平板部３４１ａに固定される平坦部３４３ａと、平坦部３４３ａの一端から立設する「Ｌ」字状の立設部３４３ｂとを有している。一対の導電板３４３は開口３４１ｅを挟んで互いに並行な状態で突出部３４１ｂにより支持される。一対の導電板３４３は、平坦部３４３ａの貫通孔（図示省略）を裏側にから挿通する固定具３４５であるねじがプレート３４１のねじ孔３４１ｆに螺合することで、プレート３４１に固定される。
なお、固定具３４５は、ケーブル３１４に接続された丸形接続端子３１６の貫通孔も挿通しており、これにより、導電板３４３とケーブル３１４とを電気的に接続する。
【００４２】
（３）接続ユニットの電源ケースへの取り付け
接続ユニット３４は、図１１に示す電源ケース３２の複数本（３本）の係合片３２１ｍが図１２に示す３個の厚肉部３４１ｇの欠け部３４１ｈに係合する。これにより、接続ユニット３４が電源ケースに３３に取り付けられる。この状態では、プレート３４１の平板部３４１ａの裏面のボス３４１ｄが電源ケース３２の下段壁３２１ｃの表面に当接する。ボス３４１ｄは、図１２に示す一対の導電板３４３の立設部３４３ｂや固定具３４５のねじ部よりも高くなっており、取付状態で導電板３４３や固定具３４５が電源ケース３２と干渉することはない。
【００４３】
接続ユニット３４は、図１１に示すように、ねじ等の固定具３４７を利用して電源ケース３２に固定される。固定具３４７は、ねじであり、下段壁３２１ｃの段付きの貫通孔３２１ｎに頭部が配され、貫通孔３２１ｎを挿通するねじ部がプレート３４１のねじ孔３４１ｃに螺合する。
【００４４】
（４）配線
図１３及び図１４に示すように、センサ部４０と電源部３０とを接続する配線ケーブルの配線（図示省略）は第１配線体３５を利用して、電源部３０と照明部１０とを接続する配線ケーブル(図示省略）は第２配線体３６を利用して行われる。
【００４５】
第１配線体３５は、図１４に示すように、ベース１２と対向する対向板部３５１と、対向板部３５１の周縁の一部を除いて立設する立設板部３５２と、立設板部３５２から裏側に延伸する係止ピン部３５３と、対向板部３５１の裏面から筒状に延伸する筒状部３５４と、筒状部３５４の周部に形成された貫通孔３５５とを有する。
第１配線体３５は、図１３に示すように、長さ方向に間隔をおいて配された係止ピン部３５３がベース１２の貫通孔１２１ｄを表側から挿通してベース１２に係合する。これにより、第１配線体３５は、対向板部３５１がベース１２に対して表側に離間する状態で固定される。
配線は、ベース１２と対向板部３５１との間から、ベース１２の貫通孔に嵌合する筒状部３５４の貫通孔３５５から内部に入り、筒状部３５４の裏側開口からベース１２の裏側へと導出される。これにより、ＬＥＤモジュール１１からの光が配線ケーブルにより遮られるのを防止できる。
【００４６】
第２配線体３６は、図１４に示すように、ベース１２と対向する対向板部３６１と、対向板部３６１の周縁から立設する立設板部３６２と、立設板部３６２から裏側に延伸する係止ピン部３６３と、対向板部３６１の裏面から筒状に延伸する筒状部３６４と、筒状部３５４の内部と連通するように対向板部３６１に形成された貫通孔３６５（図１４の（ｂ）参照）とを有する。
第２配線体３６は、長さ方向に間隔をおいて配された係止ピン部３６３がベース１２の貫通孔を表側から挿通してベース１２に係合する（図８参照）。これにより、第２配線体３６は、対向板部３６１がベース１２に対して表側に離間する状態で固定される。
配線は、ベース１２の裏側から、ベース１２の貫通孔に嵌合する筒状部３６４を通り、対向板部３６１の貫通孔３６５から表側に導出され、ケーブルの先端に設けられたコネクタが、ＬＥＤモジュール１１のＬＥＤ基板１１１のコネクタに接続される（図１３の（ｂ）参照）。これにより、ＬＥＤモジュール１１からの光が配線ケーブルにより遮られるのを防止できる。
【００４７】
８．センサ部
センサ部４０は、図１５及び図１６に示すように、人感センサユニット４１と照度センサユニット４２とをエンドケース１６に備える。
センサ部４０と電源回路３１とを接続するケーブル（図示省略）は、図１５に示すエンドケース１６の側壁１６３の欠け部１６３ｉを通り、図１４に示す第１配線体３５で支持され、ベース１２の貫通孔に嵌合する第１配線体３５の筒状部３５４（図８参照）の内部を通り、ベース１２の裏側に引き出される。
【００４８】
（１）エンドケース
エンドケース１６は、図８に示すように、裏側が開放する箱状をしている。エンドケース１６は、図１５に示すように、センサ用の貫通孔１６１ａ，１６１ｂを有する矩形状の表壁１６１と、表壁１６１の周縁から裏側に立設する側壁１６２，１６３，１６４，１６５とを有する。
【００４９】
表壁１６１は、貫通孔１６１ａ，１６１ｂと、貫通孔１６１ａの周辺から表側に円筒状に延伸する延伸部１６１ｃとを有する。貫通孔１６１ａは人感センサユニット４１用であり、貫通孔１６１ｂは照度センサユニット４２用である。延伸部１６１ｃの内周面１６１ｄは、図１６に示す球帯状の支持ケース４１５の外周面に対応した球帯状をしている。なお、図１６では、貫通孔１６１ａの引き出し線を矢印として、内周面１６１ｄの引き出し線と区別している。表壁１６１は、人感センサユニット４１の取付具４１６の回転止め用の凹部１６１ｅを延伸部１６１ｃの内周面であって裏側端に１個又は複数個有している。
【００５０】
表壁１６１は、図１５に示すように、人感センサユニット４１及び照度センサユニット４２を固定するための固定部を有している。固定にはねじ１６９を利用し、固定部は、ボス部１６１ｆ，１６１ｇと、ボス部１６１ｆ，１６１ｇに設けられたねじ穴１６１ｈ，１６１ｉとにより構成される。
ボス部１６１ｆのねじ穴１６１ｈには人感センサユニット４１を固定するためのねじ１６９が螺合し、ボス部１６１ｇのねじ穴１６１ｉには照度センサユニット４２を固定するためのねじ１６９が螺合する。
【００５１】
長さ方向の端部に位置する側壁１６２は、図１５及び図１６に示すように、他の側壁１６３，１６４，１６５より裏側に張り出す張出部１６２ａを有している。これにより、図３に示すようにベース１２と電源ケース３２との端面を覆うことができる。
エンドケース１６は、図１５に示すように、側壁１６２の張出部１６２ａであって幅方向の両側に凸部分１６２ｂを有する。凸部分１６２ｂは、電源ケース３２と結合する際に、図８に示すように、電源ケース３２の凹部分３２５ｃに嵌合する。
側壁１６２と対向する側壁１６３は、図１５に示すように、内面に段差部１６３ａを有している。エンドケース１６は、側壁１６３の段差部１６３ａから裏側に延伸するボス部１６３ｂと、表壁１６１における側壁１６２に近い部位から裏側に延伸するボス部１６１ｋとを有している。ボス部１６３ｂ，１６１ｋには、図８に示す電源ケース３２とベース１２とエンドケース１６とを一体に結合するためのねじ３８２が螺合するねじ穴１６３ｃ，１６１ｍが形成されている。
【００５２】
側壁１６３における外面には、図９に示すように、長さ方向の外方に延伸する延伸板状部１６３ｄが設けられている。延伸板状部１６３ｄは、図７の（ｂ）に示すように、照明カバー１４がベース１２に装着した状態（照明ケース１９）の内周面形状に対応し、組み立て状態の照明カバー１４とベース１２との内部に進入する。
図９に示すように、延伸板状部１６３ｄにおける照明カバー１４内に向かって延伸する部分は表側下がりの段差部分１６３ｅとなっている。段差部分１６３ｅは、図１３に示すように照明カバー１４の端面に当接し、段差部分１６３ｅと照明カバー１４との表面が面一状となる。
側壁１６３における延伸板状部１６３ｄよりも表側に位置する部分１６３ｆは、図１３に示すように、長さ方向の端に向かうにしたがって表側に移動する傾斜面となっている。これにより、照明カバー１４から出射される光を遮るのを防止できる。
【００５３】
（２）人感センサユニット
（２−１）構成
人感センサユニット４１は、図１７に示すように、人感センサ４１１がセンサ基板４１２に実装されてなる人感センサモジュール４１３と、人感センサモジュール４１３を覆うセンサカバー４１４と、人感センサモジュール４１３とセンサカバー４１４とを支持する支持ケース４１５と、支持ケース４１５を回転可能な状態でエンドケース１６に取り付ける取付具４１６とを備える。
【００５４】
人感センサ４１１は人を検知すると、その出力電荷（電圧）が変動する。人感センサ４１１の出力電圧の変動は照明部１０の点灯・消灯の判断に用いられる。なお、ここでの人感センサ４１１は赤外線を利用している。
人感センサ４１１は円柱状をし、センサ基板４１２は円板状をしている。
センサカバー４１４は、人感センサ４１１を収容する裏円筒部４１４ａと、裏円筒部４１４ａの表側端から径方向の外方へ円板状に張り出す外鍔部４１４ｂと、外鍔部４１４ｂの外周よりも小さい表円筒部４１４ｃと、表円筒部４１４ｃの表側端からドウム状に膨出する膨出部４１４ｄとを有する。
【００５５】
支持ケース４１５は中空の球帯状をしている。支持ケース４１５は、内周面であって表側開口４１５ａ側部位に形成された複数本（例えば、３本）の表リブ部４１５ｃと、内周面の裏側開口４１５ｂ側部位に形成された１本又は複数本の裏リブ部４１５ｄとを有する。支持ケース４１５は、内周面であって表側開口４１５ａ側部位に形成された凹部４１５ｅ（図１７の（ａ）参照）を有する。
支持ケース４１５は、外周面であって裏側端部から内側に突出する複数個（例えば、２個）の内凸部４１５ｆ（図１７の（ａ）参照）と、内凸部４１５ｆに対して周方向の両側を表裏方向に延伸する溝部４１５ｇとを有する。溝部４１５ｇにより内凸部４１５ｆがその内外方向に弾性変形可能となる。支持ケース４１５は、外周面であって表方向の略中央部位から外方に突出する外凸部４１５ｈを有する。
支持ケース４１５は、表裏方向において裏側開口４１５ｂよりも表側の部位で表裏方向と直交する方向の直径が最も大きくなっている。つまり、表側開口４１５ａがないとした場合、支持ケース４１５は、半球よりも大きな形状をしている。なお、直径が最大となる部分を最大径部とする。
【００５６】
取付具４１６は支持ケース４１５の外周に嵌合する球帯状部４１６ａと、球帯状部４１６ａの裏側端から表裏方向と直交する方向の外方へ延伸する一対の外延伸板部４１６ｂとを有する。取付具４１６は、図１７の（ｂ）に示すように、球帯状部４１６ａの表側端から表側に延伸する延伸片部４１６ｃと、延伸片部４１６ｃに対して周方向の両側を表裏方向に延伸する溝部４１６ｄとを複数組（例えば３組）有する。溝部４１６ｄにより延伸片部４１６ｃがその内外方向に弾性変形可能となる。なお、延伸片部４１６ｃは段差部分４１６ｅを外面に有する。
取付具４１６は、球帯状部４１６ａの内周面であって表側開口部側に凹部４１６ｆを有する。
【００５７】
（２−２）組立及び取り付け
センサカバー４１４における表裏方向に延伸する凸条部４１４ｆを支持ケース４１５の凹部４１５ｅに位置合わせし、センサカバー４１４の膨出部４１４ｄが支持ケース４１５の表側開口４１５ａに嵌るように、センサカバー４１４を支持ケース４１５に挿入する。
人感センサ４１１の凸部４１１ａがセンサカバー４１４の欠け部４１４ｅに嵌るように、人感センサ４１１をセンサカバー４１４の裏円筒部４１４ａに挿入する。この際、センサ基板４１２の表側の面は支持ケース４１５の表リブ部４１５ｃにより支持され、センサ基板４１２の裏面が内凸部４１５ｆにより係合される。これにより、センサカバー４１４と人感センサモジュール４１３とが支持ケース４１５により支持（固定）される。
【００５８】
人感センサモジュール４１３とセンサカバー４１４とが支持ケース４１５に収容された状態で、支持ケース４１５の外凸部４１５ｈが取付具４１６の凹部４１６ｆ内に位置するようにして、取付具４１６の球帯状部４１６ａを支持ケース４１５に外嵌させる。この際、取付具４１６の延伸片部４１６ｃが弾性変形して、支持ケース４１５の最大径部を超えて表側部分に係合する。これにより、外凸部４１５ｈが凹部４１６ｆ内を移動する範囲内において、支持ケース４１５（人感センサ４１１）が取付具４１６に対して表裏方向を回転軸として回転可能に、さらに回転軸に対して傾斜可能にとなる。
【００５９】
人感センサユニット４１は、図１５に示すように、支持ケース４１５がエンドケース１６の表壁１６１の貫通孔１６１ａに、取付具４１６の延伸片部４１６ｃが表壁１６１の凹部１６１ｅにそれぞれ嵌るように位置合わせする。この状態で、ねじ１６９を、取付具４１６の外延伸板部４１６ｂの貫通孔４１６ｇを挿通させてエンドケース１６のねじ穴１６１ｈに螺合させる。これにより、人感センサユニット４１がエンドケース１６に向きの調整可能に取り付けられる。
【００６０】
（３）照度センサユニット
照度センサユニット４２は、図１５及び図１６に示すように、照度センサ４２１とセンサ基板４２２とを備える。ここでの照度センサユニット４２はインジケータ４２３をセンサ基板４２２に備える。
照度センサ４２１は受光量に対応した電荷（電圧）を出力する。照度センサ４２１の周辺の明るさに対応した電荷は照明部１０の点灯・消灯の判断に用いられる。
ここでは、周辺が暗い状態でのみ、人の検知があると照明部１０が点灯し、人の検知がなくなると照明部１０は消灯する。
インジケータ４２３は、電源回路３１が正常に稼働している場合に点灯し、稼働に異常あると消灯する。
照度センサユニット４２は、図１５に示すように、照度センサ４２１とインジケータ４２３とがエンドケース１６の表壁１６１の貫通孔１６１ｂに嵌るように位置合わせする。この状態で、ねじ１６９を、センサ基板４２２の貫通孔４２２ａを挿通させた後、エンドケース１６のねじ穴１６１ｉに螺合させる。これにより、照度センサユニット４２がエンドケース１６に取り付けられる。
【００６１】
９．プラグ
プラグ６０は、図３に示すように、プラグ６０の回転によりダクトレールＢのレール溝１ａに係合する係合片６１と、プラグ６０を回転させるためのレバー６２とを有底筒状部６３に有し、取付板６４を介してベース１２に取り付けられている。
プラグ６０は、図４に示すように、有底筒状部６３の底壁６３１の貫通孔６３１ａを挿通するねじ６９が、取付板６４の隆起部６４１のねじ穴に螺合することで、表裏方向を回転軸として回転可能に支持される。
【００６２】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００６３】
＜変形例＞
１．照明装置
（１）タイプ
実施形態の照明装置は、所謂、ベース照明であったが、照明装置は、ダクトレールに取り付けられる照明装置であればよく、スポットライトのような他タイプの照明装置であってもよい。
（２）構成
本発明は、照明部１０に点灯電力を供給する電源回路３１を有し、電源回路３１を構成する電子部品３１２がダクトレールＢ内に進入していることが特徴である。したがって、光源部の種類や、照明ケースの構成や他のユニットの有無等は特に限定するものではない。
例えば、実施形態での照明装置Ａはセンサ部４０を備えていたが、センサ部を備えない照明装置であってもよい。照明ケース１９の他端にエンドケース１６を利用したが、他端もエンドカバー１５と同じようなエンドカバーを設けてもよい。照明装置はリモコンから点灯情報を受信する受信部を備えてもよい。
【００６４】
（３）電源回路
実施形態の電源回路３１は、電源ケース３２内に配されていたが、電源回路を複数個に分けて構成し、その一部をベースの裏側に配するようにしてもよい。具体的には、電源回路を構成する一部（例えば背の高い電子部品）をエンドケース内に収容してもよい。
実施形態の電子部品３１２は、ダクトレールＢに沿って一列に配されているが、ダクトレールＢ内に進入できればよく、例えば、電子部品を複数列に配する領域があってもよい。
実施形態の電子部品３１２は裏側に向かって延伸するように、換言すると電子部品３１２は回路基板３１１に立設しているが、例えば、電子部品は回路基板と平行な方向（長さ方向）に延伸するように実装されてもよい。
実施形態の回路基板３１１は電源ケース３２に取り付けられているが、回路基板をベース側に直接取り付け、電源カバーで覆うようにしてもよい。ただし、回路基板に実装されている電子部品の少なくとも一部がダクトレールＢ内に位置するように構成する必要はある。
実施形態の電源部３０は、長さ方向の他端部に設けられているが、長さ方向の中央に設けられてもよいし、一端側に設けられてもよいし、両端に設けられてもよいし、両端及び中間に設けられてもよい。
【００６５】
２．センサ部（人感センサユニット）
本実施形態の人感センサユニット４１は、支持ケース４１５が取付具４１６に対して向き変更可能に設けられている。
つまり、人感センサユニット４１は、人感センサ４１１と、人感センサ４１１を支持する支持ケース４１５と、支持ケース４１５を取り付ける取付具４１６とを有し、球面の一部を外周面に有する支持ケース４１５は、球面を構成する球体の直径部分を含む最大径部分と、直径部分を含む仮想面に対して当該仮想面と直交する両側に位置し且つ直径部分よりも径が小さい小径部分とを有し、取付具４１６は、支持ケースの球面と同じ曲面を内面に有する支持部（４１６ｃ）を有し、当該支持部は支持ケース４１５の最大径部分を挟んだ２つの小径部分に当接している。
【００６６】
これにより、取付具４１６に対して支持ケース４１５の向きを３次元的に調整可能となる。また、調整の際に、支持ケース４１５が取付具４１６に対して外れる（抜ける）方向に負荷が作用した場合であっても、外れ難くできる。
なお、ここでは、人感センサユニット４１について説明したが、向きの調整が必要なセンサ、受信器、発信器、インジケータ等についても同様の構造を適用できる。つまり、人感センサを、人感センサ以外のセンサ用、受信器、発信器、インジケータ用の素子としてもよい。
上記のセンサ部の構造に着目すると、電源部、照明部、照明ケース等の構成や照明装置のタイプ等は特に限定するものではなく、例えば、ダクトレールを利用しない照明装置に適用してもよい。
【符号の説明】
【００６７】
Ａ      照明装置
Ｂ      ダクトレール
１０      照明部
３０      電源部
３１      電源回路
３２      電源ケース
３１１      回路基板
３１２      電子部品
３２２      凸部
【図１】
2019102199.tif 000003
【図２】
2019102199.tif 000004
【図３】
2019102199.tif 000005
【図４】
2019102199.tif 000006
【図５】
2019102199.tif 000007
【図６】
2019102199.tif 000008
【図７】
2019102199.tif 000009
【図８】
2019102199.tif 000010
【図９】
2019102199.tif 000011
【図１０】
2019102199.tif 000012
【図１１】
2019102199.tif 000013
【図１２】
2019102199.tif 000014
【図１３】
2019102199.tif 000015
【図１４】
2019102199.tif 000016
【図１５】
2019102199.tif 000017
【図１６】
2019102199.tif 000018
【図１７】
2019102199.tif 000019
【図１８】
2019102199.tif 000020